(57)【要約】【課題】電子写真方式の画像形成装置におけるトナー像の熱定着時の臭気を低減する。【解決手段】電子写真用転写紙において、用紙からのフラン化合物の放散量を所定量以下にすることにより、電子写真方式の画像形成装置におけるトナー像の熱定着時の臭気を低減することができる。また、電子写真方式の画像記録方法において、連続プリントしながら用紙排出口から吸引したガス中の、フラン化合物の量を所定量以下にすることにより、トナー像の熱定着時の臭気を低減することができる。【選択図】なし【特許請求の範囲】
【請求項１】
電子写真方式の画像形成における記録用紙として用いられる電子写真用転写紙であって、
ヘッドスペース法で測定した、１ｃｍ×１ｃｍの大きさの前記転写紙２枚を１２０℃で３分間保持した際に発生するガスのクロマトグラフにおいて、フラン化合物の発生量がピーク面積率で３％以下、且つピーク面積で１０００以下であることを特徴とする電子写真用転写紙。
【請求項２】
静電潜像担持体表面を均一に帯電する帯電工程と、前記静電潜像担持体表面を露光し静電潜像を形成する露光工程と、前記静電潜像担持体表面に形成された静電潜像を静電画像現像剤を用いて現像し、トナー画像を形成する現像工程と、前記トナー画像を記録用紙上に転写する転写工程と、前記記録用紙上に転写されたトナー画像を定着する定着工程とを含む電子写真記録方式の画像記録方法であって、
前記定着工程において前記記録用紙に加えられる総熱供給量が０．２５以上であり、
連続プリントしながら、用紙排出口から２０分間、吸引速度１ｍＬ／ｓで吸引したガスサンプルを加熱脱着法でガスクロマトグラフ・質量分析計にて測定した時の、フラン化合物の量が、ピーク面積率で０．８％以下であることを特徴とする画像記録方法。
【請求項３】
静電潜像担持体表面を均一に帯電する帯電工程と、前記静電潜像担持体表面を露光し静電潜像を形成する露光工程と、前記静電潜像担持体表面に形成された静電潜像を静電画像現像剤を用いて現像し、トナー画像を形成する現像工程と、前記トナー画像を記録用紙上に転写する転写工程と、前記記録用紙上に転写されたトナー画像を定着する定着工程とを含む電子写真記録方式の画像記録方法であって、
前記定着工程において前記記録用紙に加えられる総熱供給量が０．２５未満であり、
連続プリントしながら、用紙排出口から２０分間、吸引速度１ｍＬ／ｓで吸引したガスサンプルを加熱脱着法でガスクロマトグラフ・質量分析計にて測定した時の、フラン化合物の量が、ピーク面積率で０．５％以下であることを特徴とする画像記録方法。
【請求項４】
請求項２または３記載に記載の画像記録方法であって、
前記記録用紙として請求項１に記載の電子写真用転写紙を使用することを特徴とする画像記録方法。
【発明の詳細な説明】
【技術分野】
【０００１】
本発明は電子写真用転写紙及び画像記録方法に関するものである。
【背景技術】
【０００２】
レーザープリンタや複写機といった電子写真方式の画像形成装置はいまやほとんどのオフィスに浸透している。オフィスは多くの人々が一日の大半をすごす生活の場であり、そのような場所に設置される性格上、プリンタ、複写機等は騒音、臭気、熱といった人に不快感を与えるものの排出を低減するように努力されてきた。
【０００３】
特に、臭気に関しては、電子写真方式では用紙上に転写されたトナー像を熱定着するため、その際に放散されるトナー、用紙、定着部材などに含まれる低分子成分が臭いの一因となっていた。
【０００４】
この熱定着時の低分子成分放散を低減するためにさまざまな検討がなされてきた。例えば、ケミカルトナー製造時の連鎖移動剤の種類を特定することでトナーからの悪臭成分を低減する方法（例えば特許文献１参照）や、トナーの製造工程や梱包時に消臭剤を添加する方法、トナーの粒子径を規定し、トナー内の未反応モノマ量を低減する方法など、トナーの由来の臭気を低減する方法が多数提案されてきている。また、用紙に消臭剤を含有するマイクロカプセルを保持させて、トナーを熱定着する際に消臭成分を揮発させる方法（例えば特許文献２参照）もある。
【０００５】
【特許文献１】特開２００２−４０７１１号公報
【特許文献２】特開２００２−２６８２６０号公報
【発明の開示】
【発明が解決しようとする課題】
【０００６】
このように、トナーの熱定着時に発生する臭気に関してはかなり改善されてきているものの、環境上の問題等からよりいっそうの低減が求められている。また、用紙由来の臭気成分自体の低減や、原因物質への対策を打つという方法は、これまで提案されていない。
【０００７】
本発明は、電子写真方式の画像形成装置におけるトナー像の熱定着時の臭気を低減することが可能な電子写真用転写紙及び画像記録方法である。
【課題を解決するための手段】
【０００８】
本発明は、電子写真方式の画像形成における記録用紙として用いられる電子写真用転写紙であって、ヘッドスペース法で測定した、１ｃｍ×１ｃｍの大きさの前記転写紙２枚を１２０℃で３分間保持した際に発生するガスのクロマトグラフにおいて、フラン化合物の発生量がピーク面積率で３％以下、且つピーク面積で１０００以下である。
【０００９】
また、本発明は、静電潜像担持体表面を均一に帯電する帯電工程と、前記静電潜像担持体表面を露光し静電潜像を形成する露光工程と、前記静電潜像担持体表面に形成された静電潜像を静電画像現像剤を用いて現像し、トナー画像を形成する現像工程と、前記トナー画像を記録用紙上に転写する転写工程と、前記記録用紙上に転写されたトナー画像を定着する定着工程とを含む電子写真記録方式の画像記録方法であって、前記定着工程において前記記録用紙に加えられる総熱供給量が０．２５以上であり、連続プリントしながら、用紙排出口から２０分間、吸引速度１ｍＬ／ｓで吸引したガスサンプルを加熱脱着法でガスクロマトグラフ・質量分析計にて測定した時の、フラン化合物の量が、ピーク面積率で０．８％以下である。
【００１０】
また、本発明は、静電潜像担持体表面を均一に帯電する帯電工程と、前記静電潜像担持体表面を露光し静電潜像を形成する露光工程と、前記静電潜像担持体表面に形成された静電潜像を静電画像現像剤を用いて現像し、トナー画像を形成する現像工程と、前記トナー画像を記録用紙上に転写する転写工程と、前記記録用紙上に転写されたトナー画像を定着する定着工程とを含む電子写真記録方式の画像記録方法であって、前記定着工程において前記記録用紙に加えられる総熱供給量が０．２５未満であり、連続プリントしながら、用紙排出口から２０分間、吸引速度１ｍＬ／ｓで吸引したガスサンプルを加熱脱着法でガスクロマトグラフ・質量分析計にて測定した時の、フラン化合物の量が、ピーク面積率で０．５％以下である。
【００１１】
また、前記画像記録方法において、前記記録用紙として前記電子写真用転写紙を使用することが好ましい。
【発明の効果】
【００１２】
本発明では、電子写真用転写紙において、用紙からのフラン化合物の放散量を所定量以下にすることにより、電子写真方式の画像形成装置におけるトナー像の熱定着時の臭気を低減することが可能である。
【００１３】
また本発明では、電子写真方式の画像記録方法において、連続プリントしながら用紙排出口から吸引したガス中の、フラン化合物の量を所定量以下にすることにより、トナー像の熱定着時の臭気を低減することが可能である。
【発明を実施するための最良の形態】
【００１４】
本発明の実施の形態について以下説明する。
【００１５】
本発明者らは、電子写真方式の画像形成装置における熱定着時の臭気発生について鋭意検討した結果、用紙由来の臭気成分に着目し、用紙からのその臭気成分の放散量を低減することにより、トナー像の熱定着時の臭気が低減することを見出した。
【００１６】
＜電子写真用転写紙＞
本発明の実施形態に係る電子写真用転写紙（以下、適宜、単に「用紙」と称する場合がある。）は、ヘッドスペース法で測定した、１ｃｍ×１ｃｍの用紙を２枚、１２０℃で３分加熱した際に放散されるガスのクロマトグラフにおいて、フラン化合物の発生量がピーク面積率で３％以下であり、１．０％以下であることが好ましい。
【００１７】
また、本実施形態に係る電子写真用転写紙においては、熱定着時の臭気をより低減させるという観点から、ヘッドスペース法で測定した、１ｃｍ×１ｃｍの用紙を２枚、１２０℃で３分間加熱した場合に放散されるガスのクロマトグラフにおいて、該フラン化合物のピーク面積は１０００以下であり、５００以下であることが好ましい。
【００１８】
ここで、「ヘッドスペース法」とは液体、もしくは固体の試料を密閉容器に挿入し、容器ごと加熱して液気平衡化、または気固平衡化させた状態で、試料上部の空間（この部分をヘッドスペースという）に抽出されたガスサンプルを採取して、ガスクロマトグラフで分析する方法である。本実施形態では、２０ｍＬのバイアル中に用紙を１ｃｍ×１ｃｍの大きさに二枚切り出したものを投入し、１２０℃に保持されたトラップサンプラー内で３分間保持した後に窒素ガスを１２０ｋＰａの圧力でバイアルに供給しインジェクションタイム０．１５分で、ガスクロマトグラフ・質量分析計にヘッドスペースガスを導入して測定したものである。熱分解と異なり、実際に電子写真方式で熱定着過程を通過するのに近い条件での放散物を確認することができるため、複写機やプリンタから大気中に放散される化学物質と同じ構造の物質が得られやすい。
【００１９】
フラン化合物は、複写機やプリンタの排気成分として確認されることがあり、低分子のセルロース、低分子の澱粉、内添サイズ剤であるアルケニル無水コハク酸（ＡＳＡ）など用紙中に含まれる多くの物質から放散される物質である。加熱した時のフラン化合物の発生量が少ない電子写真用転写紙は、熱定着時にも放散物中のフラン化合物が少なくなり、熱定着時の臭気を低減することができる。したがって、用紙に使用される個々の材料について、フラン化合物の含有量を低減することが重要である。
【００２０】
用紙中にはセルロースの高分子であるαセルロースだけでなく、低分子であるβ、γセルロースが含有されている。また少量ではあるが、５炭糖の重合体であるペントサン類も数％の割合で用紙に含有されている。また、コストが安価である等の点から用紙に多用される材料として澱粉があり、これは天然の澱粉を酸化処理もしくは酵素処理等によって低分子化し、粘度調整した工業製品であるが、これらの処理の工程において、低分子量のアミロースもしくはアミロペクチンが発生する場合がある。これらの低分子グルカン及びペントサン類等が用紙加熱時にフラン化合物となり、放散物として発生する可能性があるため、パルプ及び澱粉から低分子物質を除去することで放散物中のフラン化合物を低減することができる。また、ＡＳＡはセルロース繊維と結合して用紙内に存在するもののほか、未反応で加水分解しアルケニルコハク酸となって物理的に捕捉されているものがある。この未反応物を除去することでも、放散物中のフラン化合物を低減することができ、その結果、複写機・プリンタからの排気の臭気を低減することが可能となる。
【００２１】
本実施形態の電子写真用転写紙のように加熱時のフラン化合物放散量を低減するためには、抄紙に使用されるパルプと澱粉等から低分子量成分を除去することが効果的である。その手法としては、（１）パルプスラリーとして抄紙に用いる前に離解、洗浄という処理を行う方法、（２）澱粉についても、蒸煮してスラリーに添加したり、表面サイズあるいはコート層の接着剤に用いる前に洗浄する方法、また（３）ＡＳＡを用いる際には、ＡＳＡを添加した後、定着剤であるカチオン性薬品を添加した後に一度紙料をろ過、洗浄し、その後抄紙を行うという方法等がある。これらのうち少なくともいずれかの方法を用いることにより、好ましくは複数の方法を組み合わせることにより、熱定着時のフラン化合物の放散を抑制することができる。
【００２２】
（１）パルプスラリーとして抄紙に用いる前に離解、洗浄処理を行う方法
上記のように、フラン化合物の発生量を低減した電子写真用転写紙を得るためには、低分子セルロースであるβ、γセルロースの含有量を低減することが一つの好ましい態様である。特に５炭糖の重合物であるペントサンを除去することによって複素５員環であるフランの化合物が形成されにくくなる。洗浄は、例えば、３０℃以下の冷水を用いた条件で数十分から数時間撹拌する方法で行うことができる。
【００２３】
（２）澱粉を蒸煮してスラリーに添加したり表面サイズあるいはコート層の接着剤に用いる前に洗浄する方法
澱粉を使用する際にも、水洗後に蒸煮、添加する方法も一つの好ましい態様である。これによって低分子量の澱粉分子は除去され、熱分解性生物であるフラン化合物が発生しにくくなる。洗浄は例えば、澱粉を０．１〜１０質量％の固形分量になるように０〜３０℃の水に添加し、０．５〜３時間程度撹拌後、グラスフィルタ等によりろ過する方法等により行うことができる。
【００２４】
（３）ＡＳＡを添加し、定着剤を添加した後に一度紙料をろ過、洗浄し、その後抄紙を行う方法
また、ＡＳＡ等のサイズ剤を添加する際にサイズ剤を添加した後、カチオン性の定着剤を添加し、その後スラリーをろ過、水洗してから抄紙する方法も一つの好ましい態様である。これによって、繊維とは未反応の状態で用紙中に留まっているＡＳＡの加水分解物であるアルケニルコハク酸が除去され、フラン化合物が発生しにくくなるからである。ろ過及び洗浄は例えば、３０℃以下の水中に固形分濃度１０％以下の条件で０．５〜１時間撹拌した後、グラスフィルタを用いてろ過する方法で行うことができる。
【００２５】
また、上記（２）の水洗等により、フラン化合物以外にも例えば炭素数５〜２０の直鎖アルキル基を持つアルデヒド化合物等の臭気の原因となる低分子量成分を除去することができる。
【００２６】
（原紙）
次に、本実施形態に係る電子写真用転写紙に用いられる原紙について説明する。本実施形態に係る電子写真用転写紙に用いられる原紙は、パルプ繊維と填量とを主成分として含むものが好ましい。特に環境負荷を低減させるという観点から原紙としては、古紙パルプを３０質量％以上含むことが好ましく、７０質量％以上含むことがより好ましい。
【００２７】
原紙を構成するパルプ繊維としては、化学パルプ、具体的には広葉樹晒クラフトパルプ、広葉樹未晒クラフトパルプ、針葉樹晒クラフトパルプ、針葉樹未晒クラフトパルプ、広葉樹晒亜硫酸パルプ、広葉樹未晒亜硫酸パルプ、針葉樹晒亜硫酸パルプ、針葉樹未晒亜硫酸パルプ等の他、木材及び綿、麻、じん皮等の繊維原料を化学的に処理して作成されたパルプ等が好ましく挙げられる。
【００２８】
また、木材やチップを機械的にパルプ化したグランドウッドパルプ、木材やチップに薬液をしみこませた後に機械的にパルプ化したケミメカニカルパルプ、及びチップをやや軟らかくなるまで蒸解した後にリファイナーでパルプ化したサーモメカニカルパルプ、中でも高収率が特徴であるケミサーモメカニカルパルプ等も使用できる。これらはバージンパルプのみで使用してもよいし、必要に応じて古紙パルプを配合してもよい。
【００２９】
特に前記バージンパルプとしては、塩素ガスを使用せずに二酸化塩素を使用する漂白方法（Ｅｌｅｍｅｎｔａｌｌｙ  Ｃｈｌｏｒｉｎｅ  Ｆｒｅｅ：ＥＣＦ）や、塩素化合物を一切使用せずにオゾン／過酸化水素などを主に使用して漂白する方法（Ｔｏｔａｌ  Ｃｈｌｏｒｉｎｅ  Ｆｒｅｅ：ＴＣＦ）等で漂白処理されたものであることが好ましい。
【００３０】
また、前記古紙パルプの原料としては、製本、印刷工場、断裁所等において発生する裁落、損紙、幅落しした上白、特白、中白、白損等の未印刷古紙；印刷やコピーが施された上質紙、上質コート紙などの上質印刷古紙；水性インク、油性インク、鉛筆等で筆記された古紙；印刷された中質紙、中質コート紙等のチラシを含む新聞古紙；中質紙、中質コート紙、更紙等の古紙；等を配合することができる。
【００３１】
本実施形態に用いられる原紙において使用する古紙パルプは、前記古紙原料を、オゾン処理又は過酸化水素漂白処理の少なくとも一方で処理して得られたものであることが好ましい。また、より白色度の高い電子写真用転写紙を得るという観点から、前記漂白処理によって得られた古紙パルプの配合率を５０〜１００質量％の範囲とすることが好ましい。さらに資源の再利用という観点から、前記古紙パルプの配合率を７０〜１００質量％の範囲とすることがより好ましい。
【００３２】
前記オゾン処理漂白処理は上質紙に通常含まれている蛍光染料等を分解する作用があり、前記過酸化水素漂白処理は、脱墨処理時に使用されるアルカリによる黄変を防ぐ作用がある。前記古紙パルプは、オゾン漂白処理又は過酸化水素漂白処理の二つの処理を組み合わせることによって、古紙の脱墨を容易にするだけでなくパルプの白色度もより向上させることができる。また、パルプ中の残留塩素化合物を分解・除去する作用もあるため、塩素漂白されたパルプを使用した古紙の有機ハロゲン化合物含有量低減において多大な効果を得ることができる。
【００３３】
また、本実施形態に用いられる原紙には、パルプ繊維に加えて不透明度、白さ、及び表面性を調整するため填料を添加する。また、電子写真用転写紙中のハロゲン量を低減したい場合にはハロゲンを含まない填料を使用することが好ましい。
【００３４】
前記填料としては、重質炭酸カルシウム、軽質炭酸カルシウム、チョーク、カオリン、焼成クレー、タルク、硫酸カルシウム、硫酸バリウム、二酸化チタン、酸化亜鉛、硫化亜鉛、炭酸亜鉛、珪酸アルミニウム、珪酸カルシウム、珪酸マグネシウム、合成シリカ、水酸化アルミニウム、アルミナ、セリサイト、ホワイトカーボン、サポナイト、ドロマイト、カルシウムモンモリロナイト、ソジウムモンモリロナイト、ベントナイト等の無機顔料、及び、アクリル系プラスチックピグメント、ポリエチレン、キトサン粒子、セルロース粒子、ポリアミノ酸粒子、尿素樹脂などの有機顔料を挙げることができる。
【００３５】
また、原紙に古紙パルプを配合する場合には、古紙パルプ原料に含まれる灰分をあらかじめ推定して、その添加量を調整する必要がある。
【００３６】
本実施形態における原紙には内添サイズ剤を配合してもよい。ここでも用紙中のハロゲン量を低減するためにハロゲンを含まない内添サイズ剤や定着剤を使用することが望ましい。具体的には、ロジン系サイズ剤、合成サイズ剤、石油樹脂系サイズ剤、中性サイズ剤などを使用することができ、さらに硫酸バンド、カチオン化澱粉など、サイズ剤と繊維との定着剤を組み合わせて使用してもよい。このとき上記の通り、カチオン化澱粉は使用前にグラスフィルタ等を用いて水洗して、フラン化合物を発生しやすい低分子量成分を除去するのが好ましい。また、用紙保存性を向上させる観点から中性サイズ剤を使用することが好ましい。
【００３７】
（サイズプレス液）
本実施形態の電子写真用転写紙は、上述の原紙の表面に下記に示すサイズプレス液を塗布してなることが好ましい。
【００３８】
サイズプレス液に用いるバインダは、コーンスターチ、馬鈴薯澱粉、タピオカ澱粉などの未加工澱粉を始めとして、加工澱粉として酵素変性澱粉、燐酸エステル化澱粉、カチオン化澱粉、アセチル化澱粉などを使用することができる。ただし、これらの未加工澱粉、加工澱粉を使用する場合には上記の通り、グラスフィルタ等を用いて水洗し、フラン化合物を発生しやすい低分子量成分を除去して使用するのが好ましい。また、その他にもポリエチレンオキサイド、ポリアクリルアミド、ポリアクリル酸ソーダ、アルギン酸ソーダ、ヒドロキシメチルセルロース、カルボキシメチルセルロース、メチルセルロース、ポリビニルアルコール、グアーガム、カゼイン、カードランなどの水溶性高分子及びそれらの誘導体などを単独あるいは混合して使用することができるがこれに限定されるものではない。ただし、製造コストの観点からは、より安価である澱粉を使用する場合が多い。
【００３９】
本実施形態の電子写真用転写紙のサイズ度は、使用するバインダの量、種類のみによっても必要な値に調整することができる。しかし、それだけではサイズ度の調整が十分でない場合には、さらに表面サイズ剤を使用してもよい。このような表面サイズ剤としてはロジン系サイズ剤、合成サイズ剤、石油樹脂系サイズ剤、中性サイズ剤などを使用することができる。これら表面サイズ剤の具体例としては、スチレン系樹脂、スチレンアクリル系樹脂、スチレンマレイン酸アクリル系樹脂、アクリル系樹脂などが挙げられるが、これらに限定されるものではない。
【００４０】
本実施形態の電子写真用転写紙は表面に塗布されるサイズプレス液中に導電剤を配合することで、表面電気抵抗率が調整されることが好ましい。但し、電子写真用転写紙中のハロゲン量を低減するためにハロゲンを含まない導電剤を使用することが好ましい。
【００４１】
このような導電剤としては硫酸ナトリウム、炭酸ナトリウム、炭酸リチウム、メタ珪酸ナトリウム、トリポリ燐酸ナトリウム、メタ燐酸ナトリウムなどの無機電解質；スルホン酸塩、硫酸エステル塩、カルボン酸塩、リン酸塩などのアニオン性界面活性剤；カチオン性界面活性剤；ポリエチレングリコール、グリセリン、ソルビット等の非イオン性界面活性剤及び両性界面活性剤；高分子電解質などの導電剤を使用することができる。
【００４２】
また、サイズプレス液は、サイズプレス処理のほか、シムサイズ、ゲートロール、ロールコータ、バーコータ、エアナイフコータ、ロッドブレードコータ、ブレードコータ等の通常使用されている塗工手段によって原紙の表面に塗布することができる。サイズプレス液を塗布された原紙は乾燥工程を経て、本実施形態に係る電子写真用転写紙を得ることができる。
【００４３】
また、サイズプレス液によって用紙表面に処理される固形分量が０．１ｇ／ｍ２より少ないと用紙の表面被覆が不十分となり、紙粉が発生する原因となる場合がある。従って表面に塗布される水溶性高分子などの固形分の総量は０．１ｇ／ｍ２以上であることが好ましい。また、サイズプレスを施して乾燥し、完成した電子写真用転写紙では、サイズプレス液によって用紙表面に処理される固形分量が５．０ｇ／ｍ２を越えるといわゆる普通紙としての風合いを損なう場合がある。従って、その場合は表面塗布される水溶性高分子などの固形分の総量は０．１〜５．０ｇ／ｍ２の範囲であることが好ましい。
【００４４】
（コート層）
また、本実施形態の電子写真用転写紙はサイズプレスを施した上から顔料を含むコート層を付与することもできる。その場合、コート層に用いられる顔料としては、通常の一般コート紙に用いられる顔料、例えば重質炭酸カルシウム、軽質炭酸カルシウム、二酸化チタン、水酸化アルミニウム、サチンホワイト、タルク、硫酸カルシウム、硫酸バリウム、酸化亜鉛、酸化マグネシウム、炭酸マグネシウム、非晶質シリカ、コロイダルシリカ、ホワイトカーボン、カオリン、焼成カオリン、デラミネーテッドクレー、アルミノ珪酸塩、セリサイト、ベントナイト、スメクタイトなどの無機顔料や、ポリスチレン樹脂微粒子、尿素ホルムアルデヒド樹脂微粒子、微小中空粒子およびその他の有機系顔料などが挙げられ、これらを単独あるいは複数組合せで使用することができる。
【００４５】
コート層に用いられる接着剤としては、合成接着剤や天然系の接着剤が使用できる。合成接着剤としてはスチレンブタジエン系、スチレンアクリル系、エチレン・酢酸ビニル系、ブタジエンメチルメタクリルート系、酢酸ビニル・ブチルアクリレート系などの各種共重合体などが挙げられる。これらの合成接着剤の中で目的に応じて１種類以上を使用することができる。これらの接着剤は顔料１００質量％当たり５〜５０質量％、より好ましくは１０〜３０質量％程度の範囲で使用されることが好ましい。
【００４６】
また、天然系接着剤として、澱粉類、カゼイン、大豆蛋白などを使用することができる。これらも顔料１００質量％当たり０．１〜５０質量％、より好ましくは２〜３０質量％程度の範囲で使用される。
【００４７】
ここで、天然系水溶性接着剤を使用する際には表面サイズの場合と同様に、上記の通りグラスフィルタ等を用いて水洗し、フラン化合物を発生しやすい低分子量成分を除去して使用するのが好ましい。また、必要に応じて分散剤、増粘剤、保水剤、消泡剤、耐水化剤など通常のコート紙用顔料に配合される各種助剤が適宜使用される。
【００４８】
上述したような成分を含むように調整されたコート層組成物は一般のコート紙製造に使用されるコーティング装置、例えばブレードコータ、エアナイフコータ、ロールコータ、リバースロールコータ、バーコータ、カーテンコータ、ダイスロットコータなどを用いてオンマシンあるいはオフマシンによって基材上に一層あるいは多層に分けて塗布量が乾燥質量で片面に２〜１５ｇ／ｍ２程度となるようにコート層を設ける。
【００４９】
＜電子写真方式の画像記録方法＞
本実施形態における電子写真方式の画像記録方法は、静電潜像担持体表面を均一に帯電する帯電工程と、該静電潜像担持体表面を露光し静電潜像を形成する露光工程と、静電潜像担持体表面に形成された静電潜像を静電画像現像剤を用いて現像し、トナー画像を形成する現像工程と、トナー画像を記録用紙上に転写する転写工程と、記録用紙上に転写されたトナー画像を定着する定着工程とを含み、前記記録用紙が既述の本実施形態に係る電子写真用転写紙であって、連続印刷する際に、用紙排出口から２０分間、吸引速度１ｍＬ／ｓで吸引したガスサンプルにおける、フラン化合物の量が、総熱供給量０．２５以上の場合にピーク面積率０．８％以下、総熱供給量０．２５未満の場合にピーク面積率０．５％以下である。本実施形態に係る電子写真方式の画像記録方法を用いれば、熱定着時に複写機・プリンタから排出される臭気を大幅に低減できる。
【００５０】
また、本実施形態の画像記録方法においては、連続プリントしながら、用紙排出口から２０分間、吸引速度１ｍＬ／ｓで吸引したガスサンプルにおける、フラン化合物の量が、用紙への総熱供給量が０．２５以上である場合にピーク面積率で０．８％以下であり、０．５％以下であることが好ましい。
【００５１】
また、本実施形態の画像記録方法においては、連続プリントしながら、用紙排出口から２０分間、吸引速度１ｍＬ／ｓで吸引したガスサンプルにおける、フラン化合物の量が、用紙への総熱供給量が０．２５未満である場合にピーク面積率で０．５％以下であり、検知限界以下、具体的には０％であることが好ましい。
【００５２】
ここで総熱供給量とは、電子写真記録方式での熱定着部で用紙に加えられる熱供給量を計算したものであり、次式で表される。
総熱供給量＝（走行時定着ロール平均温度（℃）−室温（℃））×定着部材間に挟まれる時間（秒）×用紙１枚当たりの面積（ｍ２）×プリント速度（枚／秒）
【００５３】
定着部の温度が高い場合は、放散物も増加することが安易に予測される。また、一定時間での放散物を吸引・測定しているため、プリント速度が速くなる場合も用紙由来の放散物は増加すると思われる。
【００５４】
また、走行時定着ロール平均温度とは、加熱ロールの用紙と接触する部分の表面に熱電対を取り付け、通紙しながらモニターした表面温度の平均値である。定着部材間に挟まれる時間とは、定着部材間の接触部の幅と通紙速度との積から算出する。プリント速度は、１分間に排出される枚数を確認し、１秒当たりの枚数に計算したものを用いる。
【００５５】
「加熱脱着法」とは排出ガス中有機物の測定法として多用されている方法である。まず最初に空気中の揮発物質を、カーボン吸着剤が充填されたチューブであるＴｅｎａｘ管に、ポンプを使用して濃縮捕集する。その後二段階デソープションシステムにてキャリアガスを供給しながら加熱し、チューブ内に吸着した揮発物質をコールドトラップに移動させる。その後トラップを加熱して揮発物質をキャリアガスとともにガスクロマトグラフ・質量分析計に導入して測定する。本実施形態では、複写機・プリンタの排紙口において、幅方向の中央に、出口から下流方向へ向かって２ｃｍ、用紙が排出される面から直上に向かって１ｃｍの位置にテナックス管の端部が位置するように設置し、画像密度５％の原稿を連続プリントさせながら２０分間ポンプで吸引して放散物を吸着した。ソーターなど後処理装置が設置されている場合は、それを外し、熱定着部から最短で機外に用紙が排出される部分を排紙口として測定を実施する。その後、加熱脱着を行ってガスクロマトグラフ・質量分析計に試料を導入して測定したものである。測定に使用する用紙はガスを採取する環境と同じ環境条件下に２４時間以上放置したものとする。
【００５６】
本実施形態の電子写真方式の画像記録方法に用いられる画像形成装置は、前記帯電工程、露光工程、現像工程、転写工程及び定着工程を有する電子写真方式を利用するものであれば特に限定されない。例えば、シアン、マゼンタ、イエロー、及びブラックの４色のトナーを用いる場合には１つの感光体に各色のトナーを含む現像剤を順次付与してトナー像を形成する４サイクルの現像方式によるカラー画像形成装置や、各色ごとに対応した感光体ユニットを４つ備えたカラー画像形成装置等が利用できる。
【００５７】
画像形成に際して用いられるトナーも公知のものであれば特に限定されないが、例えば、高精度な画像が得られる点で、球状で、粒度分布の小さいトナーを用いたり、省エネルギに対応するために低温定着が可能な融点の低い結着樹脂を用いたりすることができる。
【実施例】
【００５８】
以下、実施例および比較例を挙げ、本発明をより具体的に詳細に説明するが、本発明は、以下の実施例に限定されるものではない。
【００５９】
＜実施例１＞
広葉樹クラフトパルプをＥＣＦ多段漂白法にて漂白処理してろ水度５００ｍＬになるように叩解調整したパルプを固形分量１質量％となるように２０℃の水中に分散させ、３０分撹拌した後１００メッシュのグラスフィルタを用いてろ過、水洗した。このパルプを１００質量部、軽質炭酸カルシウム填料を１５質量部、アルケニル無水コハク酸内添サイズ剤（ＡＳＡ）を０．１質量部、１００メッシュのグラスフィルタで水洗したカチオン化澱粉を０．０５質量部配合して紙料を調製した。この紙料を固形分量１質量％となるように２０℃の水中に分散させ、３０分撹拌した後、１００メッシュのグラスフィルタでろ過、水洗した。その後、再度この紙料を固形分１質量％となるように水に分散させたものを用いて抄紙を行い、坪量が６８ｇ／ｍ２の原紙を作成した。なお、カチオン化澱粉の水洗は、カチオン化澱粉を固形分１０質量％となるように２０℃の水に添加し、３０分撹拌後、１００メッシュのグラスフィルタによりろ過することによって行った。
【００６０】
続いて、表面サイズ剤として水９３質量部と、水洗したコーンスターチを５質量部と、導電剤として硫酸ナトリウムを２質量部とを含む塗工液を調整して、得られた原紙の表面に処理を行った。これにより原紙の表面に処理された固形分量が３ｇ／ｍ２であり、坪量が７１ｇ／ｍ２の電子写真用転写紙を得た。
【００６１】
このようにして得られた電子写真用転写紙を１ｃｍ×１ｃｍの大きさに２枚切り出し、２０ｍＬ容量のバイアルに密封し、１２０℃に設定されたＴｕｒｂｏＭａｔｒｉｘ４０（ＰｅｒｋｉｎＥｌｍｅｒ社製）内で３分間加熱し、インジェクションタイム０．１５分にて、ガスクロマトグラフ・質量分析計ＧＣ２０１０（島津製作所製）に投入して測定を行った。使用した非極性カラムはＲＴＸ−１（Ｒｅｓｔｅｋ製、φ０．２５ｍｍ×１５ｍ）、温度条件は、最初に４０℃で３分間保持した後に、１０℃／分で２５０℃まで昇温、その後２５０℃で６分間保持し、計３０分間で完了とした。その結果、２，５−メチルエチルフランが検出され、ピーク面積率は２％、ピーク面積は５００であった。ピーク閾値は０とした以外は、測定装置の自動波形処理によってＳｌｏｐｅ調整、Ｄｒｉｆｔ調整およびベースライン作成を行い、ピーク面積は時間軸での積分で求めた。
【００６２】
次にこの電子写真用転写紙を、モノクロ複写機ＤＣ２８５（富士ゼロックス（株）製）を用いて画像密度５％の画像を連続印刷し、排紙部からの放散ガスを採取した。この複写機の総熱供給量は、０．１７であった。複写機は５０ｍ３のチャンバー内に設置し、常時５００ｍ３／ｈの換気を行いながら、温度２５℃、相対湿度４５％ＲＨの環境下で、排紙部において、幅方向の中央に、出口から下流方向へ向かって２ｃｍ、用紙が排出される面から直上に向かって１ｃｍの位置にＴｅｎａｘ管の端部が位置するように設置し、１ｍＬ／ｓで２０分間吸引してガスを採取した。ここで、使用する用紙はガスを採取する環境と同じ環境条件下に２４時間放置したものとした。
【００６３】
このようにして採取したガスを、Ｔｅｎａｘ−ＴＡ（ＰｅｒｋｉｎＥｌｍｅｒ製）を用いて加熱脱着し、ガスクロマトグラフ・質量分析計ＧＣ２０１０（島津製作所製）にて測定を行った。温度条件、使用カラムは、用紙の加熱放散物を測定した条件と同一とした。その結果、２，５−メチルエチルフランは検出されなかった（ピーク面積：検出限界０以下）。
【００６４】
さらにこの用紙を画像密度５％の画像で連続印刷しながら、１５人の評価者に排紙口からのにおいを嗅いでもらい、臭気を感じた人数を確認した。
【００６５】
＜実施例２＞
針葉樹クラフトパルプをＴＣＦ多段漂白法にて漂白処理してろ水度４８０ｍＬになるように叩解調整したパルプを１００質量部、軽質炭酸カルシウム填料を１５質量部、アルケニル無水コハク酸内添サイズ剤（ＡＳＡ）を０．１質量部、１００メッシュのグラスフィルタで水洗したカチオン化澱粉を０．０５質量部配合して紙料を調整した。この紙料を固形分量１質量％となるように２０℃の水中に分散させ、３０分撹拌した後、１００メッシュのグラスフィルタでろ過、水洗した。その後、再度この紙料を固形分１質量％となるように水に分散させたものを用いて抄紙を行い、坪量が６５ｇ／ｍ２の原紙を作成した。なお、カチオン化澱粉の水洗は、実施例１と同様の方法で行った。
【００６６】
続いて、表面サイズ剤として水９３質量部と、水洗したタピオカ澱粉を６質量部と、導電剤として硫酸ナトリウムを１質量部とを含む塗工液を調整して、得られた原紙の表面に処理を行った。タピオカ澱粉の水洗は、タピオカ澱粉を固形分１質量％となるように１０℃の水に添加し、９０分撹拌後、１００メッシュのグラスフィルタによりろ過することによって行った。これにより原紙の表面に処理された固形分量が両面で３ｇ／ｍ２であり、坪量が６８ｇ／ｍ２の電子写真用転写紙を得た。
【００６７】
実施例１と同様にして、用紙加熱時の放散物と複写機での走行時放散ガスをガスクロマトグラフ・質量分析計ＧＣ２０１０（島津製作所製）にて測定を行った。その結果、用紙加熱時の放散物からは、プロピルフランが検出され、ピーク面積率は１．５％、ピーク面積は１０００であった。また、走行時放散ガスからはプロピルフランは検出されなかった（検出限界以下）。また、実施例１と同様にして臭気を感じた人数を確認した。
【００６８】
＜実施例３＞
針葉樹サルファイトパルプを塩素ガスを使用した多段漂白にて漂白処理してろ水度２００ｍＬになるように叩解調整したパルプを１００質量部、軽質炭酸カルシウム填料を２０質量部、アルケニル無水コハク酸内添サイズ剤（ＡＳＡ）を０．２質量部、カチオン化ＰＡＭを０．１質量部配合して紙料を調整した。この紙料を固形分量１質量％となるように１５℃の水中に分散させ、３０分撹拌した後、１００メッシュのグラスフィルタでろ過、水洗した。その後、再度この紙料を固形分１質量％となるように水に分散させたものを用いて抄紙を行い、６２ｇ／ｍ２の原紙を作成した。
【００６９】
続いて、表面サイズ剤として水９３質量部と、水洗した酸化澱粉エースＡ（王子コーンスターチ製）を６質量部と、導電剤として硫酸ナトリウムを１質量部とを含む塗工液を調整して、得られた原紙の表面に処理を行った。これにより原紙の表面に処理された固形分量が３ｇ／ｍ２であり、坪量が６５ｇ／ｍ２の電子写真用転写紙を得た。酸化澱粉の水洗は、酸化澱粉を固形分１０質量％となるように１５℃の水に添加し、６０分撹拌後、１００メッシュのグラスフィルタによりろ過することによって行った。
【００７０】
実施例１と同様にして、用紙加熱時の放散物と複写機での走行時放散ガスをガスクロマトグラフ・質量分析計ＧＣ２０１０（島津製作所製）にて測定を行った。その結果、用紙加熱時の放散物からは、プロピルフランが検出され、ピーク面積率は０．３％、ピーク面積は５００であった。また、走行時放散ガスからはプロピルフランは検出されなかった（検出限界以下）。また、実施例１と同様にして臭気を感じた人数を確認した。
【００７１】
＜実施例４＞
実施例１と同様にして、抄紙を行い、７０ｇ／ｍ２の原紙を作成し、原紙の表面に処理を行った。表面処理後、更に顔料としてカオリンクレー（Ｍｉｌａｇｌｏｓｓ  ＯＰ：エンゲルハード社製）を１００質量部に対して、接着剤としてＳＢＲラテックス５質量部、澱粉（酸化澱粉エースＡ：王子コーンスターチ製）を７質量部、潤滑剤、染料、保水剤などの助剤を含むコート液を調整して、コート層を形成した。澱粉は、固形分１０質量％となるように１０℃の水に添加し、６０分撹拌後、１００メッシュのグラスフィルタによりろ過したものを使用した。これにより原紙の表面に処理された固形分量が両面で２０ｇ／ｍ２であり、坪量が９０ｇ／ｍ２の電子写真用転写紙を得た。
【００７２】
実施例１と同様にして、用紙加熱時の放散物と複写機での走行時放散ガスをガスクロマトグラフ・質量分析計ＧＣ２０１０（島津製作所製）にて測定を行った。その結果、用紙加熱時の放散物からは、プロピルフランが検出され、ピーク面積率は１．２％、ピーク面積は８００であった。また、走行時放散ガスからはプロピルフランは検出されなかった（検出限界以下）。また、実施例１と同様にして臭気を感じた人数を確認した。
【００７３】
＜比較例１＞
実施例１と同様のパルプ１００質量部を用いて、軽質炭酸カルシウム填料を１５質量部、アルケニル無水コハク酸内添サイズ剤（ＡＳＡ）を０．１質量部、カチオン化澱粉を０．０５質量部配合して紙料を調製した。この紙料を用いて６５ｇ／ｍ２の原紙を作成した。なお、紙料について水洗等の処理は行わなかった。
【００７４】
続いて、表面サイズ剤として水９３質量部、酸化澱粉エースＡ（王子コーンスターチ製）を５質量部、導電剤として硫酸ナトリウムを２質量部からなる塗工液を調整して得られた原紙の表面に処理を行った。酸化澱粉に水洗などの前処理は加えなかった。これにより原紙の表面に処理された固形分量が両面で２ｇ／ｍ２であり、坪量が６７ｇ／ｍ２の電子写真用転写紙を得た。
【００７５】
実施例１と同様にして、用紙加熱時の放散物と複写機での走行時放散ガスをガスクロマトグラフ・質量分析計ＧＣ２０１０（島津製作所製）にて測定を行った。その結果、用紙加熱時の放散物からは、２，５−メチルエチルフランが検出され、ピーク面積率は４％、ピーク面積は２０００であった。また、走行時放散ガスからも、２，５−メチルエチルフランが検出され、ピーク面積率は０．６％であった。また、実施例１と同様にして臭気を感じた人数を確認した。
【００７６】
＜比較例２＞
比較例１と同様にして、紙料について水洗等の処理は行わずに、原紙を作成した。続いて、表面サイズ剤として水９０質量部と、乾式酸化澱粉（王子コーンスターチ製）８質量部と、導電剤として硫酸ナトリウム２質量部とを含む塗工液を調整して、得られた原紙の表面に処理を行った。なお、乾式酸化澱粉に、水洗などの前処理は加えなかった。これにより原紙の表面に処理された固形分量が両面で３ｇ／ｍ２であり、坪量が６８ｇ／ｍ２の電子写真用転写紙を得た。
【００７７】
実施例１と同様にして、用紙加熱時の放散物と複写機での走行時放散ガスをガスクロマトグラフ・質量分析計ＧＣ２０１０にて測定を行った。その結果、用紙加熱時の放散物からは２，５−メチルエチルフランが検出され、ピーク面積率は３．３％、ピーク面積は３０００であった。また、走行時放散ガスからも２，５−メチルエチルフランが検出され、ピーク面積率は０．８％であった。また、実施例１と同様にして臭気を感じた人数を確認した。
【００７８】
＜比較例３＞
実施例１と同様にして原紙を作成し、原紙の表面に処理を行ったが、パルプ、紙料、カチオン化澱粉に、水洗などの前処理は加えなかった。表面処理後、実施例４と同様に、更に顔料としてカオリンクレー（Ｍｉｌａｇｌｏｓｓ  ＯＰ：エンゲルハード社製）を１００質量部に対して、接着剤としてＳＢＲラテックス５質量部、澱粉（酸化澱粉エースＡ：王子コーンスターチ製）を７質量部、潤滑剤、染料、保水剤などの助剤を含むコート液を調整して、コート層を形成した。澱粉に、水洗などの前処理は加えなかった。これにより原紙の表面に処理された固形分量が両面で２０ｇ／ｍ２であり、坪量が９０ｇ／ｍ２の電子写真用転写紙を得た。
【００７９】
実施例１と同様にして、用紙加熱時の放散物と複写機での走行時放散ガスをガスクロマトグラフ・質量分析計ＧＣ２０１０（島津製作所製）にて測定を行った。その結果、用紙加熱時の放散物からは、プロピルフランが検出され、ピーク面積率は３％、ピーク面積は３０００であった。また、走行時放散ガスからも、プロピルフランが検出され、ピーク面積率は１．２％であった。また、実施例１と同様にして臭気を感じた人数を確認した。
【００８０】
＜比較例４＞
市販用紙Ｃ２（富士ゼロックスオフィスサプライ製）を用いて実施例１と同様にして、用紙加熱時の放散物と複写機での走行時放散ガスをガスクロマトグラフ・質量分析計ＧＣ２０１０にて測定を行った。その結果、用紙加熱時の放散物からはプロピルフランが検出され、ピーク面積率は３．５％、ピーク面積は２５００であった。また、走行時放散ガスからもプロピルフランが検出され、ピーク面積率は０．７％であった。また、実施例１と同様にして臭気を感じた人数を確認した。
【００８１】
＜実施例５〜８、比較例５〜８＞
また、モノクロ複写機ＤＣ１１００（富士ゼロックス（株）製）を用いて同様の測定を実施し、実施例５〜８、比較例５〜８とした。この複写機の総熱供給量は、０．４１であった。
【００８２】
以上の結果を表１に示す。臭気を感じた人数は１５人中１名以内であることを合格とした。
【００８３】
【表１】
2007193141.tif 000002
【００８４】
このように、実施例１〜８の電子写真用転写紙は比較例１〜８に比べて、用紙加熱時のフラン化合物放散が少なく、電子写真方式の画像形成装置にて印刷した際にも用紙由来のフラン化合物放散が少ないことがわかる。この結果、本発明の電子写真用転写紙及び画像記録方法は臭気低減に優れることがわかる。